(57)【要約】【課題】既存のアルミサッシ枠及び建具枠の屋内側の開口部周縁に隙間なく密着させて結露防止を図るアルミサッシ枠及び建具枠用の結露防止部材を提供する。【解決手段】断熱層３１の一方の面に樹脂層３０を設けると共に、断熱層３１の他方の面に接着層３２を設けて長尺の積層体を構成し、積層体をアルミサッシ枠１０の屋内側の開口部周縁に隙間なく密着させる。樹脂層３０の長手方向の一端部をＬ字形状に突出して形成し、アルミサッシ枠１０の開口部周縁の角部分を覆うようにした。【選択図】  図１
2009243194.tif 000002
【特許請求の範囲】
【請求項１】
断熱層の一方の面に樹脂層を設けると共に、前記断熱層の他方の面に接着層を設けて長尺の積層体を構成し、前記積層体をアルミサッシ枠及び建具枠の屋内側の開口部周縁に隙間なく密着させて結露防止を図るアルミサッシ枠及び建具枠用の結露防止部材。
【請求項２】
前記樹脂層の長手方向の少なくとも一端部をＬ字形状に突出して形成し、前記アルミサッシ枠及び建具枠の開口部周縁の角部分を覆うようにしたことを特徴とする請求項１に記載のアルミサッシ枠及び建具枠用の結露防止部材。
【請求項３】
前記樹脂層は硬質又は軟質塩化ビニールからなり、前記断熱層はスチレンボードからなり、前記接着層は両面テープからなる請求項１又は請求項２に記載のアルミサッシ枠及び建具枠用の結露防止部材。
【発明の詳細な説明】
【技術分野】
【０００１】
本発明は、住宅等の建築物において採光・通気用の開口部に取り付けられるアルミサッシに生じる結露を防止するアルミサッシ枠及び建具枠用の結露防止部材に関するものである。
【背景技術】
【０００２】
近年、住宅等の建築物において省エネ性や断熱性が求められ、気密性が向上したことにより、室内外の温度差が大きくなった場合に結露の問題が生じ易くなる。結露を防ぐためには、熱伝導の経路を遮断することが効果的な対策となり、例えば、アルミサッシ枠の中間部に断熱材を入れるなどの技術が一般的に知られている。
しかし、既存のアルミサッシについては、本格的な対策を講じることは困難であるため、簡便な方法としては、例えば、アルミサッシ枠に結露防止用レースシールを貼り付けることが知られている。また、既存のアルミサッシについて結露防止を行う先行技術としては、以下の発明が存在する。
【０００３】
特開平１１−３０３５３０号公報には、既存のアルミサッシやガラスに簡便な手段で、効果的な結露防止をする「ガラス面の結露防止窓構造」と「サッシ枠用の断熱カバー」に関する発明が開示されている（特許文献１）。
ここで、「サッシ枠用の断熱カバー」については、長尺の合成樹脂発泡体などの低熱伝導体の一面に両面テープが貼付された平坦面を設け、反対面には平滑な硬質の薄膜を有し、長手方向の少なくとも一方の端には１ｍｍから３ｍｍの高さで連続して平坦面側へ突出するＬ字状突出部を設けたことを特徴とし、さらに長尺の低熱伝導体の長手方向に、薄肉厚部や柔軟素材などの容易に曲がる曲り部を設けたものである。
【０００４】
しかし、上記の「サッシ枠用の断熱カバー」では、低熱伝導体の長手方向に容易に曲がる曲り部を薄肉厚部や柔軟素材などによって形成することにより、断熱カバーを折り曲げて密閉状態を維持することを特徴とするものであるため、曲り部の領域においてサッシ枠の表面との間に隙間が形成されて室内空気が残留し、その部分の結露を防止することができないという問題がある。
【０００５】
【特許文献１】特開平１１−３０３５３０号公報
【発明の開示】
【発明が解決しようとする課題】
【０００６】
そこで、本発明は、上記サッシ枠用の断熱カバーにおける問題点を解消するため、アルミサッシ枠及び建具枠の屋内側の開口部周縁に隙間なく密着させて結露防止を図るアルミサッシ枠及び建具枠用の結露防止部材を提供することを目的とする。
【課題を解決するための手段】
【０００７】
上記課題を解決するために、請求項１に記載の発明は、断熱層の一方の面に樹脂層を設けると共に、前記断熱層の他方の面に接着層を設けて長尺の積層体を構成し、前記積層体をアルミサッシ枠及び建具枠の屋内側の開口部周縁に隙間なく密着させて結露防止を図る構成を採用したのである。
【０００８】
また、請求項２に記載の発明は、請求項１に記載の前記樹脂層の長手方向の少なくとも一端部をＬ字形状に突出して形成し、前記アルミサッシ枠及び建具枠の開口部周縁の角部分を覆うようにしたことを特徴とする。
【０００９】
また、請求項３に記載の発明は、請求項１又は請求項２に記載の前記樹脂層は硬質又は軟質塩化ビニールからなり、前記断熱層はスチレンボードからなり、前記接着層は両面テープからなることを特徴とする。
【発明の効果】
【００１０】
以上のように、本発明によれば、樹脂層と断熱層と接着層とからなる長尺の積層体をアルミサッシ枠及び建具枠の屋内側の開口部周縁に隙間なく密着させるようにしたので、既存のアルミサッシに簡単に取り付けることができ、アルミサッシ枠及び建具枠の屋内側表面に生じる結露を効果的に防止することが可能になる。
【００１１】
また、樹脂層の長手方向の少なくとも一端部をＬ字形状に突出して形成し、アルミサッシ枠及び建具枠の開口部周縁の角部分を覆うようにしたので、アルミサッシ枠周辺部を全体的にカバーして結露をより一層効果的に防止することが可能になる。
【００１２】
さらに、樹脂層の材質に軟質塩化ビニール、断熱層の材質にスチレンボード、接着層の材質に両面テープを採用することにより、カッターを用いて簡単に適当な長さに裁断することができ、取り付け作業を容易にすることが可能になる。
【発明を実施するための最良の形態】
【００１３】
以下、本発明の実施の一形態について、図面を参酌しながら説明する。図１はアルミサッシの一例を示す横断面図、図２は図１の縦断面図である。
【００１４】
図１及び図２に示すように、既存のアルミサッシの一例（アングルピース一体枠）は、住宅等の建築物の窓用開口部内にアルミサッシ製の窓枠を嵌め込みアルミサッシ枠１０の屋内側の開口部周縁を開口枠２０にアングルピース１１を介在させて固定している。
本発明に係るアルミサッシ枠及び建具枠用の結露防止部材は、樹脂層３０と断熱層３１と接着層３２とからなる長尺の積層体によって構成されており、この積層体をアルミサッシ枠１０の表面に隙間なく密着させて結露防止を図るものである。
積層体の樹脂層３０の長手方向の一端部には、アルミサッシ枠１０の開口部周縁の角部分を覆うＬ字形状の突出部３０ａが形成されている。また、積層体の樹脂層３０の長手方向の他端部には、断熱層３１の端部露出部分を覆うＬ字形状の突出部３０ｂが形成されている。このため、アルミサッシ枠１０の周辺部を全体的にカバーして隙間なく密着させることにより結露をより一層効果的に防止することができる。また、上記積層体をアルミサッシ建具枠の周縁部についても同様に隙間なく密着させることにより（図示省略）、さらに結露防止の効果を奏することができる。
【００１５】
図３及び図４は、既存のアルミサッシの他例（アングルピース無枠）を示すものであり、住宅等の建築物の窓用開口部内にアルミサッシ製の窓枠を嵌め込みアルミサッシ枠１０の屋内側の開口部周縁を開口枠２０に固定している。
本発明に係るアルミサッシ枠及び建具枠用の結露防止部材は、上記と同様に樹脂層３０と断熱層３１と接着層３２とからなる長尺の積層体によって構成されており、この積層体をアルミサッシ枠１０の表面に隙間なく密着させて結露防止を図るものである。
積層体の樹脂層３０の長手方向の一端部には、断熱層３１の端部露出部分を覆うＬ字形状の突出部３０ａが形成されている。積層体の樹脂層３０及び断熱層３１の長手方向の他端部には、アルミサッシ枠１０の開口部周縁の角部分を覆うＬ字形状の突出部３０ｂ・３１ｂが形成されている。このため、アルミサッシ枠１０の周辺部を全体的にカバーして隙間なく密着させることにより結露をより一層効果的に防止することができる。また、上記と同様に上記積層体をアルミサッシ建具枠の周縁部についても同様に隙間なく密着させることにより（図示省略）、さらに結露防止の効果を奏することができる。
【００１６】
次に、本発明に係るアルミサッシ枠及び建具枠用の結露防止部材（樹脂層３０と断熱層３１と接着層３２）の材質について説明する。
樹脂層３０の材質としては、硬質又は軟質塩化ビニールを採用することができ、アルミサッシ枠及び建具枠に施された色と近似する色のものを合わせることができるようにしておく。
また、断熱層３１の材質としては、スチレンボード（目の細かい発泡スチロール板に白色上質紙が両面貼ってある発泡ボード）を採用することができる。
また、接着層３２の材質としては、両面テープを採用することができる。
樹脂層３０の材質に軟質塩化ビニール、断熱層３１の材質にスチレンボード、接着層３２の材質に両面テープを採用することにより、カッターを用いて簡単に適当な長さに裁断することができ、取り付け作業が容易になる。
尚、結露防止部材（樹脂層３０と断熱層３１と接着層３２）に採用する材質については、上記の各材質に限定されるものではなく、断熱性及び加工容易性の機能を発揮する材質の中から適宜最適なものを選択することができる。
【図面の簡単な説明】
【００１７】
【図１】アルミサッシの一例を示す横断面図である。
【図２】図１の縦断面図である。
【図３】アルミサッシの他例を示す横断面図である。
【図４】図３の縦断面図である。
【符号の説明】
【００１８】
１０  アルミサッシ枠
１１  アングルピース
２０  開口枠
３０  樹脂層
３１  断熱層
３２  接着層
【図１】
2009243194.tif 000003
【図２】
2009243194.tif 000004
【図３】
2009243194.tif 000005
【図４】
2009243194.tif 000006